(57)【要約】【課題】被験者が自身の認知機能の状態を簡易に把握することが可能な端末装置を提供する。【解決手段】被験者の腰部に取り付けられ、被験者の認知機能を評価するための端末装置は、被験者の腰部に関する動き情報を検出する検出部と、タイムドアップアンドゴーテスト（Timed Up and Go Test：ＴＵＧ）において、動き情報に基づいて、被験者が目標物を回るために要した転回時間を算出する算出部と、被験者の注意機能を評価するための注意テスト、被験者の記憶機能を評価するための記憶テスト、および被験者の言語機能を評価するための言語テストのうちの少なくとも１つのテストを実行して、当該少なくとも１つのテストの結果を取得する取得部と、転回時間と、少なくとも１つのテストの結果とに基づいて、被験者の認知機能を評価する評価部と、評価部による評価結果に基づく情報を報知する報知部とを備える。【選択図】図２２
2018029706.tif 000002
【特許請求の範囲】
【請求項１】
被験者の腰部に取り付けられ、前記被験者の認知機能を評価するための端末装置であって、
前記被験者の腰部に関する動き情報を検出する検出部と、
前記被験者が椅子から立ち上がり、前方に設けられた目標物を回って、前記椅子に着座するまでの時間を測定するタイムドアップアンドゴーテスト（Timed Up and Go Test：ＴＵＧ）において、前記動き情報に基づいて、前記被験者が前記目標物を回るために要した転回時間を算出する算出部と、
前記被験者の注意機能を評価するための注意テスト、前記被験者の記憶機能を評価するための記憶テスト、および前記被験者の言語機能を評価するための言語テストのうちの少なくとも１つのテストを実行して、当該少なくとも１つのテストの結果を取得する取得部と、
前記転回時間と、前記少なくとも１つのテストの結果とに基づいて、前記被験者の認知機能を評価する評価部と、
前記評価部による評価結果に基づく情報を報知する報知部とを備える、端末装置。
【請求項２】
前記転回時間が第１閾値以上であり前記注意テストの結果が第１基準レベル未満である場合、前記転回時間が第１閾値以上であり前記記憶テストの結果が第２基準レベル未満である場合、または、前記転回時間が第１閾値以上であり前記言語テストの結果が第３基準レベル未満である場合、前記評価部は、前記被験者の認知機能が通常よりも低下していると評価し、
前記報知部は、前記被験者の認知機能が通常よりも低下していることを示唆する情報を報知する、請求項１に記載の端末装置。
【請求項３】
前記転回時間が第１閾値以上であり、前記注意テストの結果が第１基準レベル未満であり、前記記憶テストの結果が第２基準レベル未満であり、前記言語テストの結果が第３基準レベル未満である場合、前記評価部は、前記被験者の認知機能が通常よりも低下していると評価し、
前記報知部は、前記被験者の認知機能が通常よりも低下していることを示唆する情報を報知する、請求項１に記載の端末装置。
【請求項４】
前記転回時間が第１閾値以上、かつ、前記第１閾値よりも大きい第２閾値未満である場合、前記評価部は、前記被験者の認知機能の低下が軽度であると評価し、
前記報知部は、前記被験者が軽度認知障害の疑いがあることを示唆する情報を報知する、請求項２または３に記載の端末装置。
【請求項５】
被験者の腰部に取り付け可能な端末装置と、
前記端末装置と通信可能に構成されたサーバとを備え、
前記端末装置は、
前記被験者の腰部に関する動き情報を検出する検出部と、
前記被験者が椅子から立ち上がり、前方に設けられた目標物を回って、前記椅子に着座するまでの時間を測定するタイムドアップアンドゴーテスト（Timed Up and Go Test：ＴＵＧ）において、前記動き情報に基づいて、前記被験者が前記目標物を回るために要した転回時間を算出する算出部と、
前記被験者の注意機能を評価するための注意テスト、前記被験者の記憶機能を評価するための記憶テスト、および前記被験者の言語機能を評価するための言語テストのうちの少なくとも１つのテストを実行して、当該少なくとも１つのテストの結果を取得する取得部と、
前記転回時間と、前記少なくとも１つのテストの結果とを前記サーバに送信する送信部とを含み、
前記サーバは、
前記転回時間と、前記少なくとも１つのテストの結果とに基づいて、前記被験者の認知機能を評価する評価部と、
前記評価部による評価結果を前記端末装置に送信する結果送信部とを含み、
前記端末装置は、
前記サーバから受信した前記評価結果に基づく情報を報知する報知部をさらに含む、評価システム。
【請求項６】
被験者の腰部に取り付けられ、前記被験者の認知機能を評価するための端末装置のコンピュータに実行させるプログラムであって、
前記プログラムは、前記コンピュータに、
前記被験者の腰部に関する動き情報を検出するステップと、
前記被験者が椅子から立ち上がり、前方に設けられた目標物を回って、前記椅子に着座するまでの時間を測定するタイムドアップアンドゴーテスト（Timed Up and Go Test：ＴＵＧ）において、前記動き情報に基づいて、前記被験者が前記目標物を回るために要した転回時間を算出するステップと、
前記被験者の注意機能を評価するための注意テスト、前記被験者の記憶機能を評価するための記憶テスト、および前記被験者の言語機能を評価するための言語テストのうちの少なくとも１つのテストを実行して、当該少なくとも１つのテストの結果を取得するステップと、
前記転回時間と、前記少なくとも１つのテストの結果とに基づいて、前記被験者の認知機能を評価するステップと、
前記評価するステップにより得られた評価結果に基づく情報を報知するステップとを実行させる、プログラム。
【発明の詳細な説明】
【技術分野】
【０００１】
本開示は、端末装置、評価システムおよびプログラムに関し、特に、被験者の認知機能を評価するための端末装置、評価システムおよびプログラムに関する。
【背景技術】
【０００２】
高齢化社会を迎え、高齢者の人口が増加している近年においては、活力のある生活を送るために、肉体的な健康の維持だけではなく、認知症等により生じる認知機能の低下をできるだけ防止することが社会的に重要な課題となっている。
【０００３】
認知機能の低下を示す状態としては、加齢関連認知低下（aging-associated cognitive decline：ＡＡＣＤ）、軽度認知障害（Mild Cognitive Impairment：ＭＣＩ）等が知られている。ＡＡＣＤとは、年齢を重ねることで認知機能が低下してくる老化現象のことであり、認知症には至っていない状態をいう。また、ＭＣＩとは、１）本人または家族による物忘れの訴えがある、２）全般的な認知機能は正常である、３）日常生活動作は自立している、４）認知症ではない、５）年齢や教育レベルの影響では説明できない記憶障害がある、といった状態である（非特許文献１）。
【０００４】
ＡＡＣＤあるいはＭＣＩを有する高齢者は、認知機能が正常な高齢者に比べて、認知症へ移行するリスクが高いとされている。一方、このような高齢者であっても、認知機能の低下を防止するための予防活動を適切に行なうことにより認知機能が正常な状態に回復するとの報告もある。そのため、認知症への移行を予防するために、ＡＡＣＤおよびＭＣＩを早期に発見することが求められている。
【０００５】
ここで、近年、ＭＣＩが、機能的移動能力を示すタイムドアップアンドゴーテスト（Timed up and go test）に及ぼす影響を検討するため、加速度計を用いた分析が行われている（非特許文献２）。非特許文献２によると、タイムドアップアンドゴーテストの中の動作において、認知機能の低下が、方向転換から歩き始めるまで時間を要するといった特徴を誘起する可能性があるとされている。
【先行技術文献】
【非特許文献】
【０００６】
【非特許文献１】鈴木裕、軽度認知障害、日大医学雑誌、2012年、Vol. 71、p.385−389
【非特許文献２】Mirelman et al. J Am Geriatr Soc, 2014年、62(4)、p.673-678
【発明の概要】
【発明が解決しようとする課題】
【０００７】
一般的には、認知症を判断するための方法としては、ミニメンタルステート検査（Mini-Mental State Examination：MMSE）、ファイブコグ（Five Cognitive Functions）検査等が知られている。しかし、これらの検査方法は、医師の立ち会いが必要であり、検査の拘束時間も長いことから気軽に実施できるものではない。そのため、自身が積極的に検査を受けない限り、認知機能の低下を早期に発見することが難しいという問題がある。
【０００８】
本開示は、上記のような問題に鑑みてなされたものであって、ある局面における目的は、被験者が自身の認知機能の状態を簡易に把握することが可能な端末装置、評価システムおよびプログラムを提供することである。
【課題を解決するための手段】
【０００９】
ある実施の形態に従うと、被験者の腰部に取り付けられ、被験者の認知機能を評価するための端末装置が提供される。端末装置は、被験者の腰部に関する動き情報を検出する検出部と、被験者が椅子から立ち上がり、前方に設けられた目標物を回って、椅子に着座するまでの時間を測定するタイムドアップアンドゴーテスト（Timed Up and Go Test：ＴＵＧ）において、動き情報に基づいて、被験者が目標物を回るために要した転回時間を算出する算出部と、被験者の注意機能を評価するための注意テスト、被験者の記憶機能を評価するための記憶テスト、および被験者の言語機能を評価するための言語テストのうちの少なくとも１つのテストを実行して、当該少なくとも１つのテストの結果を取得する取得部と、転回時間と、少なくとも１つのテストの結果とに基づいて、被験者の認知機能を評価する評価部と、評価部による評価結果に基づく情報を報知する報知部とを備える。
【００１０】
好ましくは、転回時間が第１閾値以上であり注意テストの結果が第１基準レベル未満である場合、転回時間が第１閾値以上であり記憶テストの結果が第２基準レベル未満である場合、または、転回時間が第１閾値以上であり言語テストの結果が第３基準レベル未満である場合、評価部は、被験者の認知機能が通常よりも低下していると評価する。報知部は、被験者の認知機能が通常よりも低下していることを示唆する情報を報知する。
【００１１】
好ましくは、転回時間が第１閾値以上であり、注意テストの結果が第１基準レベル未満であり、記憶テストの結果が第２基準レベル未満であり、言語テストの結果が第３基準レベル未満である場合、評価部は、被験者の認知機能が通常よりも低下していると評価する。報知部は、被験者の認知機能が通常よりも低下していることを示唆する情報を報知する。
【００１２】
好ましくは、転回時間が第１閾値以上、かつ、第１閾値よりも大きい第２閾値未満である場合、評価部は、被験者の認知機能の低下が軽度であると評価する。報知部は、被験者が軽度認知障害の疑いがあることを示唆する情報を報知する。
【００１３】
他の実施の形態に従う評価システムは、被験者の腰部に取り付け可能な端末装置と、端末装置と通信可能に構成されたサーバとを備える。端末装置は、被験者の腰部に関する動き情報を検出する検出部と、被験者が椅子から立ち上がり、前方に設けられた目標物を回って、椅子に着座するまでの時間を測定するタイムドアップアンドゴーテスト（Timed Up and Go Test：ＴＵＧ）において、動き情報に基づいて、被験者が目標物を回るために要した転回時間を算出する算出部と、被験者の注意機能を評価するための注意テスト、被験者の記憶機能を評価するための記憶テスト、および被験者の言語機能を評価するための言語テストのうちの少なくとも１つのテストを実行して、当該少なくとも１つのテストの結果を取得する取得部と、転回時間と、少なくとも１つのテストの結果とをサーバに送信する送信部とを含む。サーバは、転回時間と、少なくとも１つのテストの結果とに基づいて、被験者の認知機能を評価する評価部と、評価部による評価結果を端末装置に送信する結果送信部とを含む。端末装置は、サーバから受信した評価結果に基づく情報を報知する報知部をさらに含む。
【００１４】
さらに他の実施の形態に従うと、被験者の腰部に取り付けられ、被験者の認知機能を評価するための端末装置のコンピュータに実行させるプログラムが提供される。プログラムは、コンピュータに、被験者の腰部に関する動き情報を検出するステップと、被験者が椅子から立ち上がり、前方に設けられた目標物を回って、椅子に着座するまでの時間を測定するタイムドアップアンドゴーテスト（Timed Up and Go Test：ＴＵＧ）において、動き情報に基づいて、被験者が目標物を回るために要した転回時間を算出するステップと、被験者の注意機能を評価するための注意テスト、被験者の記憶機能を評価するための記憶テスト、および被験者の言語機能を評価するための言語テストのうちの少なくとも１つのテストを実行して、当該少なくとも１つのテストの結果を取得するステップと、転回時間と、少なくとも１つのテストの結果とに基づいて、被験者の認知機能を評価するステップと、評価するステップにより得られた評価結果に基づく情報を報知するステップとを実行させる。
【発明の効果】
【００１５】
本開示によると、被験者が自身の認知機能の状態を簡易に把握することが可能となる。
【図面の簡単な説明】
【００１６】
【図１】本実施の形態に従う評価システムの構成を示す図である。
【図２】本実施の形態に従う端末装置のハードウェア構成を示した図である。
【図３】本実施の形態に従うサーバのハードウェア構成を示すブロック図である。
【図４】本実施の形態に従う運動能力テストの流れを説明するための図である。
【図５】立ち上がり速度の測定方法を説明するための図である。
【図６】はずみ運動の測定方法を説明するための図である。
【図７】ＴＵＧの測定方法を説明するための図である。
【図８】重心バランスの測定方法を説明するための図である。
【図９】本実施の形態に従う認知機能の測定の流れを説明するための図である。
【図１０】注意機能の測定方法を説明するための図である。
【図１１】記憶機能の測定方法を説明するための図である。
【図１２】視空間認知機能（時計）の測定方法を説明するための図である。
【図１３】視空間認知機能（迷路）の測定方法を説明するための図である。
【図１４】言語機能（手書き）の測定方法を説明するための図である。
【図１５】言語機能（音声）の測定方法を説明するための図である。
【図１６】ＴＵＧテスト中の各動作の所要時間の結果を示す図である。
【図１７】図１６に示した各動作の所要時間を算出する方法を説明するための図である。
【図１８】運動能力テスト（ＴＵＧ以外）の結果を示す図である。
【図１９】認知機能テストの結果を示す図である。
【図２０】運動能力テストとＴＵＧテストの各動作との相関係数を示す図である。
【図２１】認知機能テストとＴＵＧテストの各動作との相関係数を示す図である。
【図２２】本実施の形態に従う端末装置およびサーバの機能ブロック図である。
【図２３】本実施の形態に従う端末装置およびサーバの処理手順の一例を示す図である。
【図２４】本実施の形態に従うサーバの評価処理手順の一例を示す図である。
【図２５】本実施の形態の変形例に従う端末装置の機能ブロック図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
以下では、端末装置の一例として、スマートフォンを説明する。ただし、端末装置は、スマートフォンに限定されるものではなく、携帯可能であり、後述する機能を有するものであればよい。たとえば、端末装置は、タブレット等の各種の携帯機器であってもよい。
【００１９】
＜システムの構成＞
図１は、本実施の形態に従う評価システム１の構成を示す図である。図１を参照して、評価システム１は、被験者の認知機能を評価するための評価システムである。具体的には、評価システム１は、端末装置１０Ａ，１０Ｂと、サーバ２０とを含む。説明の容易化のために、以下では、端末装置１０Ａ，１０Ｂの各々に共通の構成や機能を説明する際には、それらを「端末装置１０」とも総称する。なお、典型的には、端末装置１０の数は、評価システム１のサービスを利用するユーザ数で規定される。
【００２０】
端末装置１０は、ネットワーク９０を介してサーバ２０と通信可能に構成されている。具体的には、端末装置１０は、無線ＬＡＮ（Local  Area  Network）を利用して、ルータ等の無線基地局（図示しない）に接続し、ネットワーク９０を介してサーバ２０と通信可能に構成される。なお、端末装置１０は、ＬＴＥ（Long  Term  Evolution）、ＣＤＭＡ（Code  Division  Multiple  Access）、およびＷｉＭＡＸ（Worldwide  Interoperability  for  Microwave  Access）等を利用して、ネットワーク９０を介してサーバ２０と通信可能に構成されていてもよい。
【００２１】
端末装置１０は、各種センサを備えており、ユーザからの指示に従って、体力および運動能力を測定するための体力・運動能力テスト（以下、単に「運動能力テスト」と称する。）、および認知機能を測定するための認知機能テストを実行可能に構成されている。典型的には、端末装置１０は、これらのテストの結果をサーバ２０に送信し、サーバ２０により評価された結果を受信して、当該結果をディスプレイに表示する。
【００２２】
サーバ２０は、各端末装置１０と通信することにより、各端末装置１０から取得した結果をデータベースとして記憶する。サーバ２０は、端末装置１０から受信したテストの結果を解析し、認知機能に対する評価結果を端末装置１０に送信する。
【００２３】
本実施の形態に従う評価システム１の動作概要は、次のようになる。各端末装置１０は、ユーザからの指示に従って、運動能力テストおよび認知機能テストを実行する（シーケンスＳＱ２）。各端末装置１０は、識別情報（例えば、端末ＩＤ、ユーザＩＤ等）と、これらのテストの結果とをサーバ２０に送信する（シーケンスＳＱ４）。サーバ２０は、各端末装置１０から受信した識別情報およびテスト結果を互いに関連付けて内部メモリ（データベース）に格納する（シーケンスＳＱ６）。
【００２４】
サーバ２０は、予め定められた評価基準と、テスト結果とに基づいて、所定の評価処理を実行する（シーケンスＳＱ８）。サーバ２０は、評価処理により得られた認知機能に対する評価結果を各端末装置１０に送信する（シーケンスＳＱ１０）。各端末装置１０は、当該評価結果をディスプレイに表示する（シーケンスＳＱ１２）。
【００２５】
＜ハードウェア構成＞
（端末装置１０）
図２は、本実施の形態に従う端末装置１０のハードウェア構成を示した図である。図２を参照して、端末装置１０は、主たる構成要素として、プロセッサ１５２と、メモリ１５４と、タッチパネル１５６と、ディスプレイ１５８と、無線通信部１６０と、通信インターフェイス（Ｉ／Ｆ）１６２と、メモリインターフェイス（Ｉ／Ｆ）１６４と、マイク１６６と、スピーカ１６８と、センサ装置１７０と、ＧＰＳモジュール１７５とを含む。
【００２６】
プロセッサ１５２は、典型的には、ＣＰＵ（Central Processing Unit）やＭＰＵ（Multi Processing Unit）といった演算処理部である。プロセッサ１５２は、メモリ１５４に記憶されたプログラムを読み出して実行することで、端末装置１０の各部の動作を制御する制御部として機能する。プロセッサ１５２は、当該プログラムを実行することによって、後述する端末装置１０の処理（ステップ）の各々を実現する。
【００２７】
メモリ１５４は、ＲＡＭ（Random  Access  Memory）、ＲＯＭ（Read-Only  Memory）、フラッシュメモリなどによって実現される。メモリ１５４は、プロセッサ１５２によって実行されるプログラム、またはプロセッサ１５２によって用いられるデータなどを記憶する。
【００２８】
タッチパネル１５６は、端末装置１０に対する操作入力を受け付ける。タッチパネル１５６は、表示部としての機能を有するディスプレイ１５８上に設けられており、例えば、静電容量方式タイプである。タッチパネル１５６は、所定時間毎に外部物体によるタッチパネルへのタッチ操作を検知し、タッチ座標をプロセッサ１５２に入力する。
【００２９】
無線通信部１６０は、通信アンテナ１６１を介して無線通信網に接続し無線通信のための信号を送受信する。これにより、端末装置１０は、たとえば、ＬＴＥ（Long  Term  Evolution）などの移動体通信網を介して他の通信装置との通信が可能となる。
【００３０】
通信インターフェイス（Ｉ／Ｆ）１６２は、外部装置との間で各種データをやり取りするものである。なお、通信方式としては、たとえば、Ｂｌｕｅｔｏｏｔｈ（登録商標）、無線ＬＡＮ（Local  Area  Network）などによる無線通信であってもよいし、ＨＤＭＩ（High-Definition  Multimedia  Interface）（登録商標）ケーブル、ＵＳＢケーブルなどを利用した有線通信であってもよい。
【００３１】
メモリインターフェイス１６４は、外部の記憶媒体１６５からデータを読み出す。プロセッサ１５２は、メモリ１５４からデータを読み出して、メモリインターフェイス１６４を介して当該データを外部の記憶媒体１６５に格納する。なお、記憶媒体１６５としては、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体が挙げられる。
【００３２】
マイク１６６は、端末装置１０に対する音声入力を受け付けて、当該音声入力に対応する音声信号をプロセッサ１５２に与える。スピーカ１６８は、プロセッサ１５２から与えられる音声信号を音声に変換して端末装置１０の外部へ出力する。
【００３３】
センサ装置１７０は、端末装置１０の動きを検出するための各種センサを含む。具体的には、センサ装置１７０は、加速度センサ１７１および角速度センサ１７３を含む。
【００３４】
加速度センサ１７１は、端末装置１０の動きを、加速度として検出するためのセンサである。加速度センサ１７１は、端末装置１０の重力方向の加速度から端末装置１０の傾き（角度）を取得する。典型的には、加速度センサ１７１は３軸加速度センサであり、検出した３軸の加速度をプロセッサ１５２へ出力する。角速度センサ１７３は、角速度を検出するためのセンサであり、端末装置１０の回転を検出する。典型的には、角速度センサ１７３は、３軸角速度センサである。
【００３５】
ＧＰＳモジュール１７５は、ＧＰＳ信号または基地局からの位置信号（測位信号）を受信して端末装置１０の位置情報を取得する。ＧＰＳモジュール１７５は、取得した端末装置１０の位置情報をプロセッサ１５２に入力する。
【００３６】
なお、端末装置１０は、ユーザによる押下操作を受け付けるための操作キー、および動作（および静止画）を撮影するためのカメラ等を含んでいてもよい。
【００３７】
（サーバ２０）
図３は、本実施の形態に従うサーバ２０のハードウェア構成を示すブロック図である。図３を参照して、サーバ２０は、主たる構成要素として、各種処理を実行するためのプロセッサ２０２と、プロセッサ２０２によって実行されるプログラム、データなどを格納するためのメモリ２０４と、各端末装置１０と各種データを送受信するための通信インターフェイス（Ｉ／Ｆ）２０６と、外部の記憶媒体からデータを読み出すメモリインターフェイス（Ｉ／Ｆ）２０８とを含む。
【００３８】
＜体力・運動能力の測定＞
端末装置１０のユーザ（被験者）が行なう体力・運動能力の測定について説明する。
【００３９】
図４は、本実施の形態に従う運動能力テストの流れを説明するための図である。図４を参照して、端末装置１０は、ディスプレイ１５８にメニュー画面５００を表示する。メニュー画面５００は、ボタン５５２と、ボタン５５４とを含む。被験者は、運動能力（機能）の測定を行なうため、ボタン５５２を選択すると、メニュー画面５００から項目選択画面５０２に遷移する。運動能力の測定項目としては、立ち上がり速度、はずみ速度、タイムドアップアンドゴー（ＴＵＧ）、重心バランスの４つが用意されている。項目選択画面５０２は、立ち上がり速度、はずみ速度、ＴＵＧおよび重心バランスのそれぞれの測定項目の準備画面に遷移するためのボタン５５６，５５８，５６０，５６２を含む。
【００４０】
（立ち上がり速度）
図４を参照して、被験者がボタン５５６を選択すると、立ち上がり速度測定の準備画面５０４に遷移する。被験者が準備画面５０４の開始ボタン５６４を選択すると、画面５０６に遷移する。端末装置１０は、画面５０６を表示中に「用意」という音声を出力した後、「スタート」の音声を出力する。被験者は、「スタート」の音声の合図で立ち上がり速度測定を開始する。端末装置１０は、「スタート」の音声を出力後、測定中画面５０８に遷移して、測定が終了すると立ち上がり速度（ここでは、６．７７ｍ／ｓ）を含む結果画面５１０を表示する。
【００４１】
図５は、立ち上がり速度の測定方法を説明するための図である。図５を参照して、被験者は、端末装置１０を収納可能な測定用ベルト１５を腰部に装着した状態で、椅子７０に座り、両手を胸の前で交差させる。このときの状態を正面から見ると図５の状態（Ａ）のように表わされ、側面から見ると図５の状態（Ｂ）のように表わされる。そして、被験者は、端末装置１０のスピーカ１６８から出力される音声ガイドの「用意」⇒「スタート」の合図で（図４の画面５０６に対応）、できるだけ早く立ち上がる（図５の状態（Ｃ）に対応）。端末装置１０は、加速度センサ１７１により検出された加速度データを用いて、このときの立ち上がり速度を測定して、測定結果を表示する（図４の結果画面５１０に対応）。
【００４２】
（はずみ運動）
図６は、はずみ運動の測定方法を説明するための図である。図６を参照して、被験者は、端末装置１０を収納可能な測定用ベルト１５を腰部に装着した状態で、肩幅で立ち、両手を腰に当てる。このときの状態を正面から見ると図６の状態（Ａ）のように表わされる。被験者は、項目選択画面５０２においてボタン５５８を選択して、はずみ運動測定の準備画面に遷移する。被験者は、「用意」⇒「スタート」の合図で（図４の画面５０６に対応）、膝の曲げ伸ばしを行なう。膝を曲げた状態を側面から見ると図６の状態（Ｂ）のように表わされ、膝を伸ばした状態を側面から見ると図６の状態（Ｃ）のように表わされる。例えば、被験者は、このような膝の曲げ伸ばしを１０回行なう。端末装置１０は、加速度センサ１７１により検出された加速度データを用いて、屈伸中の上方向への最大加速度の平均値と下方向への最大加速度の平均値との和をはずみ指数として測定して、測定結果を表示する。測定結果として、はずみ指数を示す数値（例えば、３６．７３）がディスプレイ１５８に表示される。
【００４３】
（タイムドアップアンドゴー）
図７は、ＴＵＧの測定方法を説明するための図である。ＴＵＧ測定では、被験者が椅子から立ち上がり、前方に設けられた目標物を回って、椅子に着座するまでの時間が測定される。
【００４４】
図７を参照して、ＴＵＧテストでは、椅子７０と、椅子７０の先端から一定距離（例えば、３ｍ）おいて設けた目標物（例えば、コーン）８０とが準備される。被験者は、端末装置１０を収納した測定用ベルト１５を腰部に装着した状態で、椅子７０に座る。被験者が項目選択画面５０２においてボタン５６０を選択すると、ＴＵＧ測定の準備画面（図４の準備画面５０４に対応）に遷移する。被験者は、「用意」⇒「スタート」の合図で（図４の画面５０６に対応）、椅子７０から立ち上がって、３ｍ先に設けられた目標物８０に向かって前方に歩行し、目標物８０を回って方向転換し、椅子７０に向かって歩行し、目標物８０の方を向くように方向転換して、椅子７０に着座する。なお、椅子７０から目標物８０までの歩行経路に直線を引き、被験者はこの直線に沿って歩くようにする。
【００４５】
端末装置１０は、加速度センサ１７１により検出された加速度データ、および角速度センサ１７３により検出された角速度データを用いて、ＴＵＧテストの所要時間を測定して、測定結果（例えば、１０秒）を表示する。端末装置１０は、加速度データを用いて、被験者が動作しているか否か（止まっているか動いているか）を判定する。各動作の所要時間は、被験者が動いている時間に基づいて計測される。なお、詳細は後述するが、本実施の形態では、ＴＵＧテスト全体の所要時間だけではなく、ＴＵＧテスト中の各動作の所要時間についても取得するように構成されている。
【００４６】
（重心バランス）
図８は、重心バランスの測定方法を説明するための図である。図８を参照して、重心バランス測定中において、被験者は、１）端末装置１０が背中側になるように測定用ベルト１５を装着し、２）素足で踵とつま先を揃えて壁から２ｍの位置に立ち、３）手を体側に待直ぐ添えるようにする。被験者が項目選択画面５０２においてボタン５６２を選択すると、重心バランス測定の準備画面（図４の準備画面５０４に対応）に遷移する。被験者は、「用意」の音声で上記の状態を維持し（図４の画面５０６に対応）、「スタート」の合図で、壁に貼り付けた目標物８２（シール等）を見つめて、３０秒間静止する。端末装置１０は、測定が終了すると、加速度センサ１７１により検出された加速度データを用いて、腰部の移動距離、移動面積（移動軌跡が収まる最小の矩形）、および姿勢制御の微細さを示す単位面積長（移動距離／移動面積）を測定して、測定結果（例えば、移動距離１１１．１ｃｍ）を表示する。
【００４７】
＜認知機能の測定＞
次に、端末装置１０のユーザ（被験者）が行なう認知機能の測定について説明する。
【００４８】
図９は、本実施の形態に従う認知機能の測定の流れを説明するための図である。図９を参照して、端末装置１０は、ディスプレイ１５８にメニュー画面５００を表示する。被験者は、認知機能の測定を行なうため、ボタン５５４を選択すると、メニュー画面５００から項目選択画面６０２に遷移する。認知機能の測定項目としては、リアクションタイム、注意、記憶、視空間（時計）、視空間（迷路）、言語（手書き）、言語（音声）の７つが用意されている。画面６０２は、リアクションタイム、注意、記憶、視空間（時計）、視空間（迷路）、言語（手書き）、言語（音声）のそれぞれの測定の準備画面に遷移するためのボタン６８２，６８４，６８６，６８８，６９０，６９２，６９４を含む。
【００４９】
（リアクションタイム）
図９を参照して、ボタン６８２を選択すると、リアクションタイムの準備画面６０４に遷移する。被験者が準備画面６０４の開始ボタン６９６を選択すると、画面６０６に遷移する。端末装置１０は、画面６０６を表示して「用意」という音声を出力した後、「スタート」の音声を出力する。被験者は、「スタート」の音声の合図でリアクションタイム測定を開始する。被験者は、両手で端末装置１０横方向に把持した状態から、画面の指示に従って端末装置１０を動かす。
【００５０】
具体的には、画面６０８が表示されると端末装置１０を右に回転させ、次に画面６１０が表示されると元の状態に戻し、さらに画面６１２が表示されると端末装置１０を左に回転させる。端末装置１０を画面の指示に従って動かすことができた場合には、回数がカウントされていく。このような操作を３０秒間繰り返して得られた回数が画面６１４に表示される。画面６１４の例では、被験者は、画面の指示に従って端末装置１０を３０秒間で２４回動かすことができたことを意味する。なお、右回転（画面６０８）、左回転（画面６１２）の他に、上方向、下方向、右方向、左方向に傾ける指示も画面に表示される。
【００５１】
（注意機能）
図１０は、注意機能の測定方法を説明するための図である。被験者が画面６０２においてボタン６８４を選択すると（図９参照）、注意機能測定の準備画面に遷移する。被験者が準備画面の開始ボタンを選択すると、図１０の画面６２０に遷移する。
【００５２】
画面６２０には、「１」〜「１３」までの１３個の数字と「あ」〜「し」までの１２個の平仮名とがランダムな位置に表示される。被験者は、数字「１」から開始して数字→平仮名→数字→平仮名→・・・という順番で、数字と平仮名を交互に選択していく（画面６２２に対応）。なお、数字は小さい順、平仮名は五十音順に選択させることとする。したがって、正しい順番は、「１」→「あ」→「２」→「い」→「３」→・・・→「１２」→「し」→「１３」となる。上記１３個の数字と上記１２個の平仮名とが画面６２０に表示されてから、最後の数字「１３」が選択されるまでの所要時間（例えば、３１秒）が画面６２４に表示される。この測定は、トレイルメイキングテストのパートＢ（Trail Making Test Part B）に対応している。
【００５３】
（記憶機能）
図１１は、記憶機能の測定方法を説明するための図である。被験者が画面６０２においてボタン６８６を選択すると（図９参照）、記憶機能測定の準備画面に遷移する。被験者が準備画面の開始ボタンを選択すると、図１１の画面６３２に遷移する。記憶機能測定では、被験者は、一定時間点灯する数字を記憶し、点灯終了後に表示されていた数字を入力する。点灯桁数は１桁からスタートし、正解すると点灯桁数が増えていく。端末装置１０は、被験者が最終的に記憶できた桁数を測定する。
【００５４】
具体的には、画面６３２には、第１問目を示す画面が表示され、「次へ」ボタンを選択すると、画面６３４に遷移する。画面６３４では、１桁（１問目であるため）の数字「６」が２秒間表示される。数字の点灯が終了すると画面６３６に遷移し、被験者は記憶した数字（この場合は、「６」）を入力し、完了ボタンを選択する。１問目で正解した場合には、２問目に移行して画面６３４において２桁の数字が表示される。このような作業を繰り返して、最終的に記憶できた桁数が画面６３８のように表示される。この例では、被験者は４桁まで記憶できたことを意味する。
【００５５】
（視空間認知機能：時計）
図１２は、視空間認知機能（時計）の測定方法を説明するための図である。被験者が画面６０２においてボタン６８８を選択すると（図９参照）、視空間認知機能（時計）測定の準備画面に遷移する。被験者が準備画面の開始ボタンを選択すると、図１２の画面６４０に遷移する。この測定では、被験者に、数字を適切に並べさせた後、指定時刻になるように時計の針を描かせる。
【００５６】
具体的には、画面６４０には、円、およびランダムに配置された数字「１」〜「１５」が表示される。被験者は、表示された円内に数字をドラッグして配置していく（画面６４２に対応）。被験者は、数字を全て配置し終わると、確認ボタン６４３を選択する。確認ボタン６４３が選択されると画面６４４に遷移して、指定時刻（この場合、１１時１０分）になるように針を被験者に描かせる。被験者は、針の描画を終了すると完了ボタン６４５を選択する。そして、画面６４６にて測定結果（この場合、７点）が表示される。なお、この点数は、数字の配置が正しいか、指定時刻に針が適切に描かれているか（向き、長さ等）を考慮した点数である。
【００５７】
（視空間認知機能：迷路）
図１３は、視空間認知機能（迷路）の測定方法を説明するための図である。被験者が画面６０２においてボタン６９０を選択すると（図９参照）、視空間認知機能（迷路）測定の準備画面に遷移する。被験者が準備画面の開始ボタンを選択すると、図１３の画面６５０に遷移する。この測定では、被験者に、端末装置１０を左右前後に傾けて画面表示されたボールをゴールまで運んでもらい、その作業の所要時間を測定する。
【００５８】
具体的には、画面６５０には、迷路のスタート地点にボール（図１３の黒い円に対応）が配置され、ゴール地点が白い円で表示される。被験者は、端末装置１０を左右前後に傾けてゴール地点までボールを運ぶと（画面６５２に対応）、測定結果としてボールの運搬の所要時間（ここでは、７２秒）が画面６５４に表示される。
【００５９】
（言語機能：手書き）
図１４は、言語機能（手書き）の測定方法を説明するための図である。被験者が画面６０２においてボタン６９２を選択すると（図９参照）、言語機能（手書き）測定の準備画面に遷移する。被験者が準備画面の開始ボタンを選択すると、図１４の画面６６２に遷移する。この測定では、被験者に、一定時間内に思い浮かぶ動物名を手書き入力してもらい、手書き入力できた動物名の個数を測定する。
【００６０】
具体的には、画面６６２は、文字の入力領域６６０１と、入力した文字が表示される表示領域６６０３と、動物名の登録ボタン６６０５とを含む。ここでは、被験者は、動物名「ねこ」を入力しようとしている。画面６６４は、入力領域６６０１に「ね」を手書きした後（表示領域６６０３に「ね」が表示されているため）、さらに「こ」を手書きしている場面を示している。そして、被験者が登録ボタン６６０５を選択すると、動物名「ねこ」が登録される。端末装置１０は、測定開始から２分間が経過すると、登録できた動物名の個数（ここでは、５個）を測定結果として画面６６６のように表示する。なお、端末装置１０は、多数の動物名を予めメモリ１５４に記憶しておく。端末装置１０は、メモリ１５４に記憶された動物名の中に手書き入力された動物名が存在する場合に、当該動物名の登録を許可する。
【００６１】
（言語機能：音声）
図１５は、言語機能（音声）の測定方法を説明するための図である。被験者が画面６０２においてボタン６９４を選択すると（図９参照）、言語機能（音声）測定の準備画面６０４に遷移する。被験者が準備画面の開始ボタンを選択すると、図１５の画面６７２に遷移する。この測定では、被験者に、一定時間内に思い浮かぶ動物名を音声入力してもらい、入力できた動物名の個数を測定する。
【００６２】
具体的には、画面６７２は、音声認識した文字の入力領域６７０１と、登録された動物名が表示される表示領域６７０３とを含む。画面６７２において、被験者が動物名「イヌ」を端末装置１０（マイク１６６）に対して発声すると、端末装置１０は音声認識した文字を入力領域６７０１に表示する。端末装置１０は、メモリ１５４に記憶された動物名の中に音声入力された動物名が存在する場合に、表示領域６７０３に当該動物名「イヌ」を表示する。画面６７４では、動物名「シカ」が音声入力される場面を示している。端末装置１０は、測定開始から１分間が経過すると、登録できた動物名の個数（ここでは、１０個）を測定結果として画面６７６に表示する。
【００６３】
＜測定結果および分析結果＞
本願発明者は、上述したＴＵＧテスト中に行われる各動作と、認知機能および体力・運動能力との関連性について検討を行なった。
【００６４】
被験者としては、介護保険制度における要支援１から要介護３までの要介護認定を受けている高齢者３４名を対象とした。なお、３４名の被験者のうち、１５名が男性で年齢が７６．４±１０歳であり、１９名が女性で年齢が８２．８±４．６歳であった。なお、要介護度は、心身の状況を７段階で区分したもので、心身が健全な順に、要支援１、要支援２、要介護１、要介護２、要介護３、要介護４、要介護５と設定される。例えば、介護度が高い人は、立ち上がりや歩行が自力ではできない場合がある。
【００６５】
また、３４名の被験者は、ファイブコグテストの結果に基づいて、健常（Normal）であるＮ群と、軽度認知障害の一つの概念である加齢関連認知低下（ＡＡＣＤ）が確認されるＡ群と、認知症（Dementia）が疑われるＤ群とに群分けされた。具体的には、Ｎ群、Ａ群、Ｄ群に属する高齢者は、それぞれ１３名、１１名、１０名であった。各被験者について、上述した各運動能力テスト、各認知機能テストを実施した。
【００６６】
図１６は、ＴＵＧテスト中の各動作の所要時間の結果を示す図である。図１７は、図１６に示した各動作の所要時間を算出する方法を説明するための図である。
【００６７】
図１６には、ＴＵＧテスト中における「立ち上がり」、「行き直進」、「転回」、「帰り直進」、「着席前転回」、「着席」の各動作の所要時間が示されている。図１６中の各統計量（所要時間）は、平均±標準偏差で示されている。また、有意水準は５％未満としている。
【００６８】
立ち上がり動作時間は、椅子７０から立ち上がるときの所要時間を示す。行き直進時間は、立ち上がり後、前方に直進して目標物８０に到達するまでの時間を示す。転回時間は、目標物８０に到達後、目標物８０を回って方向転換するための所要時間を示す。帰り直進時間は、転回後、直進して椅子７０に到達するまでの時間を示す。着席前転回時間は、椅子７０に到達後、椅子７０に着席する前に回って方向転換するための所要時間を示す。着席時間は、着席前転回後、椅子７０に着席するまでの時間を示す。
【００６９】
図１７を参照して、各動作時間の具体的な算出方式について説明する。図１７中のグラフ８００は、ＴＵＧテスト中において、角速度センサ１７３により検出された角速度データの時間変化を示している。グラフ８１０は、角速度データに基づいて算出される角度データの時間変化を示している。グラフ８２０は、ＴＵＧテスト中の各動作を区分するために描かれる、角度データをソフトウェア処理することにより得られる階段状の直線である。具体的には、端末装置１０は、グラフ８２０において、時刻ｔ＝０〜ｔ１までの時間を「立ち上がり」時間、時刻ｔ１〜ｔ２までの時間を「行き直進」時間、時刻ｔ２〜ｔ３までの時間を「転回」時間、時刻ｔ３〜ｔ４までの時間を「帰り直進」時間、時刻ｔ４〜ｔ５までの時間を「着席前転回」時間、時刻ｔ５〜ｔ６までの時間を「着席」時間、時刻ｔ＝０〜ｔ６までの時間をＴＵＧ動作時間（ＴＵＧ動作全体の所要時間）として算出する。
【００７０】
再び、図１６を参照して、ＴＵＧ動作項目のうち「転回」動作に着目すると、Ｎ群、Ａ群、Ｄ群の順に転回時間が長くなっている。そのため、認知機能が低い人ほど「転回」動作により多くの時間を要すると考えられ、３群（Ｎ群、Ａ群、Ｄ群）間に差異が認められた。一方、他の動作項目については、３群間に差異は認められなかった。なお、３群間の差異については，一元配置分散分析を用いて検討を行ない、有意な差異が認められた場合にはScheffe法によって多重比較を行なっている。これは、以下の３群間の差異に関する分析についても同様である。
【００７１】
図１８は、運動能力テスト（ＴＵＧ以外）の結果を示す図である。図１８を参照すると、立ち上がり速度、はずみ運動、重心バランスのいずれについても、３群間に有意な差異は認められなかった。
【００７２】
図１９は、認知機能テストの結果を示す図である。図１９を参照して、注意機能テストに着目すると、Ｎ群、Ａ群、Ｄ群の順に時間が長くなっているため、３群間（Ｎ群、Ａ群、Ｄ群）に差異が認められる。また、記憶機能テストに着目すると、Ｎ群、Ａ群、Ｄ群の順に記憶できた桁数が少なくなっているため、３群間（Ｎ群、Ａ群、Ｄ群）に差異が認められる。さらに、言語機能テスト（音声）に着目すると、Ｎ群、Ａ群、Ｄ群の順に個数が少なくなっているため、３群間（Ｎ群、Ａ群、Ｄ群）に有意な差異が認められる。このことから、認知機能では、注意機能テスト、記憶機能テストおよび言語機能テスト（音声）において差異があることが認められた。
【００７３】
次に、本願発明者は、上記のように得られた測定結果に基づいて、各測定項目間の関連性を明らかにするため、ピアソンの積率相関係数を算出した。
【００７４】
図２０は、運動能力テストとＴＵＧテストの各動作との相関係数を示す図である。図２０を参照して、ＴＵＧテストの動作のうち「帰り直進」動作以外の各動作と、立ち上がり速度との間に有意な相関が認められた。
【００７５】
図２１は、認知機能テストとＴＵＧテストの各動作との相関係数を示す図である。図２１を参照して、ＴＵＧテストの動作のうち「転回」動作について、記憶機能、言語機能（手書き）、および言語機能（音声）について有意な相関が認められた。また、ＴＵＧテストの動作のうち「着席前転回」動作について、記憶機能および言語機能（音声）について有意な相関が認められた。
【００７６】
＜機能構成＞
図２２は、本実施の形態に従う端末装置１０およびサーバ２０の機能ブロック図である。図２２を参照して、端末装置１０は、動き情報検出部３０２と、運動能力測定部３０４と、認知機能測定部３０６と、情報通信部３０８と、報知部３１０とを含む。これらの各機能は、例えば、端末装置１０のプロセッサ１５２がメモリ１５４に格納されたプログラムを実行することによって実現される。なお、これらの機能の一部または全部はハードウェアで実現されるように構成されていてもよい。
【００７７】
また、サーバ２０は、情報通信部４０２と、評価部４０８とを含む。これらの各機能は、例えば、サーバ２０のプロセッサ２０２がメモリ２０４に格納されたプログラムを実行することによって実現される。なお、これらの機能の一部または全部はハードウェアで実現されるように構成されていてもよい。また、サーバ２０は、メモリ２０４により実現される測定情報格納部４０４と、評価基準情報格納部４０６とをさらに含む。
【００７８】
図２２を参照して、端末装置１０の動き情報検出部３０２は、センサ装置１７０を介して被験者の動き情報を取得する。具体的には、動き情報は、互いに直交する３軸まわりの角速度データと、互いに直交する３軸方向の加速度データとを含む。
【００７９】
運動能力測定部３０４は、タッチパネル１５６を介して、被験者から各種の運動能力テスト（立ち上がり速度、はずみ指数、ＴＵＧ、および重心バランステスト）の開始指示を受け付けると、指示を受け付けた運動能力テストを開始する（図４参照）。運動能力測定部３０４は、動き情報検出部３０２により検出された被験者の腰部に関する動き情報に基づいて各テストの測定結果を算出し、当該算出した各テストの測定結果を情報通信部３０８に出力する。なお、運動能力測定部３０４は、ＴＵＧテストにおいては、測定結果として、立ち上がり、行き直進、転回、帰り直進、着席前転回、着席の各動作の所要時間を算出する。
【００８０】
認知機能測定部３０６は、タッチパネル１５６を介して、被験者から各種の認知機能テスト（リアクションタイム、注意、記憶、視空間（時計）、視空間（迷路）、言語（手書き）、言語（音声））の開始指示を受け付けると、指示を受け付けた認知機能テストを開始する（図９参照）。認知機能測定部３０６は、各テストの測定結果を情報通信部３０８に出力する。
【００８１】
情報通信部３０８は、運動能力テストの測定結果と、認知機能テストの測定結果と、ユーザ識別情報（端末装置１０のユーザＩＤ等）とを含む測定情報Ｄをサーバ２０に送信する。なお、測定情報Ｄは、ユーザに関連する情報として、ユーザの年齢、性別、要介護度等の情報をさらに含んでいてもよい。
【００８２】
サーバ２０の情報通信部４０２は、測定情報Ｄを端末装置１０（情報通信部３０８）から受信する。情報通信部４０２は、測定情報Ｄを測定情報格納部４０４に格納する。具体的には、情報通信部４０２は、運動能力テストの測定結果と、認知機能テストの測定結果と、ユーザ識別情報とを関連付けて測定情報格納部４０４に格納する。
【００８３】
評価基準情報格納部４０６は、運動能力テストの測定結果と、認知機能テストの測定結果とに基づいて、評価部４０８が被験者の認知機能を評価する際の評価基準情報を格納する。評価基準情報は、上述した＜測定結果および分析結果＞から得られた知見に基づいて予め定められている。なお、測定情報格納部４０４には、各端末装置１０から多数の被験者の測定情報Ｄが蓄積される。そのため、評価基準情報は、当該蓄積された測定情報Ｄに基づいて、適宜更新されてもよい。
【００８４】
評価部４０８は、運動能力テストの測定結果と、認知機能テストの測定結果と、評価基準情報とに基づいて、被験者の認知機能を評価する。具体的には、評価部４０８は、ＴＵＧ動作における転回時間と、被験者の注意機能を評価するための注意テスト、被験者の記憶機能を評価するための記憶テスト、および被験者の言語機能を評価するための言語テストのうちの少なくとも１つのテストの結果とに基づいて、被験者の認知機能を評価する。これは、転回時間について、３群（Ｎ群、Ａ群、Ｄ群）間に差異が認められたという知見と、注意機能、記憶機能および言語機能（音声）について、３群間（Ｎ群、Ａ群、Ｄ群）に差異が認められたという知見とに基づく評価方式である。
【００８５】
ある方式によると、評価部４０８は、転回時間が閾値Ｔｈ１以上であり、注意テストの結果が基準レベルＬ１未満である場合、被験者の認知機能が通常（健常者の認知機能）よりも低下していると評価する。または、評価部４０８は、転回時間が閾値Ｔｈ１以上であり、記憶テストの結果が基準レベルＬ２未満である場合、被験者の認知機能が通常よりも低下していると評価する。または、評価部４０８は、転回時間が閾値Ｔｈ１以上であり、言語テストの結果が基準レベルＬ３未満である場合、被験者の認知機能が通常よりも低下していると評価する。例えば、閾値Ｔｈ１はＡ群の転回時間の平均値（１．８４）に設定される。
【００８６】
本実施の形態では、基準レベルの「レベル」は、認知機能の程度を表わす指標である。具体的には、各テストについて、当該テストの結果が基準レベル以上である場合には認知機能の低下が疑われず、当該テストの結果が基準レベル未満である場合には認知機能の低下が疑われるものとする。
【００８７】
ここで、図１０で説明した注意テストの場合には所要時間が長いほど認知機能の低下が疑われる。そのため、注意テストの結果が基準レベルＬ１未満とは、例えば、当該結果を示す値（所要時間）がＡ群の注意テストの平均値（１８４．８）以上であることを意味する。図１１で説明した記憶テストの場合には記憶できた桁数が少ないほど認知機能の低下が疑われる。そのため、記憶テストの結果が基準レベルＬ２未満とは、例えば、当該結果を示す値（桁数）がＡ群の記憶テストの平均値（４．５）未満であることを意味する。図１５で説明した言語テストの場合には入力できた動物名の個数が少ないほど認知機能の低下が疑われる。そのため、言語テストの結果が基準レベルＬ３未満とは、例えば、当該結果を示す値（個数）がＡ群の言語テストの平均値（６．１）未満であることを意味する。ただし、閾値Ｔｈ１、基準レベルＬ１〜Ｌ３の設定方式は、これに限られず他の設定方式を採用してもよい。
【００８８】
他の方式によると、評価部４０８は、転回時間が閾値Ｔｈ１以上であり、注意テストの結果が基準レベルＬ１未満であり、記憶テストの結果が基準レベルＬ２未満であり、言語テストの結果が基準レベルＬ３未満である場合に、被験者の認知機能が通常よりも低下していると評価する。他の方式では、被験者の認知機能は、上記方式よりも緩め（認知機能が低下していないと判断する方向）に評価されることになる。
【００８９】
さらに、評価部４０８は、上記のように被験者の認知機能が通常よりも低下していると評価する場合に、さらに、転回時間が閾値Ｔｈ１以上、かつ、閾値Ｔｈ１よりも大きい閾値Ｔｈ２未満であるとの条件が成立する場合には、被験者の認知機能の低下が軽度であると評価してもよい。換言すると、評価部４０８は、被験者が軽度認知障害の疑いがあると評価してもよい。これは、Ｎ群、Ａ群、Ｄ群の順に転回時間が長くなっているとの知見に基づく評価方式である。例えば、閾値Ｔｈ１はＡ群の転回時間の平均値に設定され、閾値Ｔｈ２はＤ群の転回時間の平均値に設定される。ただし、閾値Ｔｈ１および閾値Ｔｈ２の設定方式は、これに限られず他の設定方式を採用してもよい。
【００９０】
評価部４０８は、上述したような評価結果を情報通信部４０２に出力する。情報通信部４０２は、評価結果を端末装置１０に送信する。
【００９１】
端末装置１０の情報通信部３０８は、評価結果をサーバ２０（情報通信部４０２）から受信する。情報通信部３０８は、受信した評価結果を報知部３１０に出力する。
【００９２】
報知部３１０は、評価結果に基づく情報を報知する。具体的には、報知部３１０は、被験者の認知機能が通常よりも低下しているとの評価結果を取得した場合には、当該認知機能の低下を示唆する情報を報知する。例えば、報知部３１０は、認知機能が通常よりも低下している可能性を百分率で表したり、「認知機能が通常よりも低下している疑いがある」等の文言を用いて被験者に報知する。なお、評価部４０８による評価結果が認知機能の状態を示唆するものである場合には、報知部３１０は、当該評価結果をそのまま報知してもよい。報知部３１０は、典型的には、ディスプレイ１５８に評価結果に基づく情報を表示することにより報知を行なう。ただし、報知部３１０は、スピーカ１６８を介して当該情報を出力することにより報知を行なってもよい。
【００９３】
＜処理手順＞
図２３は、本実施の形態に従う端末装置１０およびサーバ２０の処理手順の一例を示す図である。典型的には、図２３に示す端末装置１０の各ステップはプロセッサ１５２により実行され、サーバ２０の各ステップはプロセッサ２０２により実行される。
【００９４】
図２３を参照して、端末装置１０は、ユーザからの指示に従って、ＴＵＧテストを実行して（ステップＳ１０）、ＴＵＧテスト中の各動作の所要時間を取得する（ステップＳ１２）。端末装置１０は、ユーザからの指示に従って、認知機能テストのうち注意テスト、記憶テストおよび言語テストを実行して（ステップＳ１４）、測定結果を取得する（ステップＳ１６）。端末装置１０は、ＴＵＧテスト中の各動作の所要時間と、認知機能テストの測定結果とを含む測定情報Ｄをサーバ２０に送信する（ステップＳ１８）。
【００９５】
サーバ２０は、測定情報Ｄを受信して（ステップＳ２０）、測定情報に基づいて評価処理を実行する（ステップＳ２２）。
【００９６】
図２４は、本実施の形態に従うサーバ２０の評価処理手順の一例を示す図である。図２４を参照して、サーバ２０は、転回時間が閾値Ｔｈ１以上か否かを判断する（ステップＳ２０２）。転回時間が閾値Ｔｈ１未満である場合には（ステップＳ２０２においてＮＯ）、サーバ２０は、後述するステップＳ２１８の処理を実行する。転回時間が閾値Ｔｈ１以上である場合には（ステップＳ２０２においてＹＥＳ）、サーバ２０は、注意テスト、記憶テストおよび言語テストのすべての結果が、対応する基準レベル未満であるか否かを判断する（ステップＳ２０４）。
【００９７】
各テストのすべての結果が、対応する各基準レベル未満である場合（ステップＳ２０４においてＹＥＳ）、サーバ２０は、被験者の認知機能の低下リスクが「極めて大」である（認知機能が低下している可能性が非常に高い）と評価する（ステップＳ２０６）。そうではない場合には（ステップＳ２０４においてＮＯ）、サーバ２０は、注意テスト、記憶テストおよび言語テストの結果のうちの２つが、対応する基準レベル未満であるか否かを判断する（ステップＳ２０８）。
【００９８】
各テストのうちの２つの結果が、対応する各基準レベル未満である場合には（ステップＳ２０８においてＹＥＳ）、サーバ２０は、被験者の認知機能の低下リスクが「大」である（認知機能が低下している可能性が高い）と評価する（ステップＳ２１０）。そうではない場合には（ステップＳ２０８においてＮＯ）、サーバ２０は、注意テスト、記憶テストおよび言語テストの結果のうちの１つが、対応する基準レベル未満であるか否かを判断する（ステップＳ２１２）。
【００９９】
各テストのうちの１つの結果が、対応する各基準レベル未満である場合には（ステップＳ２１２においてＹＥＳ）、サーバ２０は、被験者の認知機能の低下リスクが「中」である（認知機能が低下している可能性がやや高い）と評価する（ステップＳ２１４）。そうではない（すなわち、転回時間が閾値以上であって、かつ各テストのすべての結果が対応する各基準レベル以上である）場合には（ステップＳ２１２においてＮＯ）、サーバ２０は、被験者の認知機能の低下リスクが「小」である（認知機能が低下している可能性が低い）と評価する。
【０１００】
ステップＳ２０２に戻って、転回時間が閾値Ｔｈ１未満である場合には（ステップＳ２０２においてＮＯ）、サーバ２０は、注意テスト、記憶テストおよび言語テストのすべての結果が、対応する基準レベル未満であるか否かを判断する（ステップＳ２１８）。
【０１０１】
各テストのすべての結果が、対応する各基準レベル未満である場合（ステップＳ２１８においてＹＥＳ）、サーバ２０は、被験者の認知機能の低下リスクが「大」であると評価する（ステップＳ２１０）。そうではない場合には（ステップＳ２１８においてＮＯ）、サーバ２０は、注意テスト、記憶テストおよび言語テストの結果のうちの２つが、対応する基準レベル未満であるか否かを判断する（ステップＳ２２０）。
【０１０２】
各テストのうちの２つの結果が、対応する各基準レベル未満である場合には（ステップＳ２２０においてＹＥＳ）、サーバ２０は、被験者の認知機能の低下リスクが「中」であると評価する（ステップＳ２１４）。そうではない場合には（ステップＳ２２０においてＮＯ）、サーバ２０は、注意テスト、記憶テストおよび言語テストの結果のうちの１つが、対応する基準レベル未満であるか否かを判断する（ステップＳ２２２）。
【０１０３】
各テストのうちの１つの結果が、対応する各基準レベル未満である場合には（ステップＳ２２２においてＹＥＳ）、サーバ２０は、被験者の認知機能の低下リスクが「小」であると評価する（ステップＳ２１６）。そうではない（すなわち、転回時間が閾値未満であって、かつ各テストのすべての結果が対応する各基準レベル以上である）場合には（ステップＳ２２２においてＮＯ）、サーバ２０は、被験者の認知機能は正常であると評価する（ステップＳ２２４）。
【０１０４】
再び、図２３を参照して、サーバ２０は、評価処理により得られた評価結果を端末装置１０に送信する（ステップＳ２４）。端末装置１０は、評価結果を受信し（ステップＳ２６）、受信した評価結果に基づく情報を報知する（ステップＳ２８）。
【０１０５】
＜利点＞
本実施の形態によると、サーバ２０による評価結果を端末装置１０が報知することにより、被験者は、自身の認知機能の状態を容易に把握することができる。また、各端末装置１０からの測定結果をサーバ２０が蓄積することにより、当該蓄積結果に基づいて認知機能の評価を行なうことができるため、評価精度の向上に寄与する。
【０１０６】
＜変形例＞
上述した実施の形態では、サーバ２０が端末装置１０から取得した測定情報に基づいて、被験者の評価を行なう構成について説明した。変形例では、端末装置１０単体で、測定情報の取得、測定情報に基づく被験者の評価、および評価結果の報知を行なう構成について説明する。
【０１０７】
図２５は、本実施の形態の変形例に従う端末装置１０の機能ブロック図である。図２５を参照して、端末装置１０は、動き情報検出部３０２と、運動能力測定部３０４と、認知機能測定部３０６と、報知部３１０と、評価基準情報格納部３１２と、評価部３１４とを含む。具体的には、変形例に従う端末装置１０の機能構成は、図２２中の端末装置１０の機能構成と比較して、評価基準情報格納部３１２および評価部３１４が追加され、情報通信部３０８が除外された点で異なる。
【０１０８】
評価基準情報格納部３１２は、図２２中のサーバ２０の評価基準情報格納部４０６と実質的に同一である。また、評価部３１４は、図２２中のサーバ２０の評価部４０８と実質的に同一である。評価部３１４は、運動能力測定部３０４の測定結果と、認知機能測定部３０６の測定結果と、評価基準情報とに基づいて、被験者の認知機能の評価を行なう。報知部３１０は、評価部３１４による評価結果に基づく情報を報知する。なお、端末装置１０は、予め提供された評価基準情報を評価基準情報格納部３１２に格納するように構成されていてもよいし、定期的にサーバ２０から評価基準情報を取得して、評価基準情報格納部３１２に格納するように構成されていてもよい。
【０１０９】
なお、変形例に従う端末装置１０の処理手順は、次のようになる。変形例に従う端末装置１０は、図２３中のステップＳ１０〜ステップＳ１６の処理を実行した後、ステップＳ１２で取得した転回時間と、ステップＳ１６で取得した注意テスト、記憶テストおよび言語テストの測定結果とに基づいて、サーバ２０のステップＳ２２に相当する評価処理を実行する。そして、端末装置１０は、ステップＳ２８の処理を実行して、評価結果に基づく情報を報知する。
【０１１０】
変形例によると、サーバ２０に接続しなくても端末装置１０単体で評価することができるため、被験者は、通信状態等を考慮することなく、自身の認知機能の状態を容易に把握することができる。
【０１１１】
［その他の実施の形態］
（１）上述した実施の形態において、ＴＵＧテストの動作のうち「帰り直進」動作以外の各動作と、立ち上がり速度との間に有意な相関が認められたとの知見に基づいて、転回時間の閾値を変更する構成を採用してもよい。
【０１１２】
具体的には、図２０を参照して、立ち上がり速度と転回時間とは負の相関があることから、立ち上がり速度が遅いほど（速いほど）、転回時間が長くなる（短くなる）ことがわかる。また、立ち上がり速度は、被験者の脚の筋力を反映していると考えられる。そのため、立ち上がり速度が速い被験者ほど脚の筋力が強く、立ち上がり速度が遅い被験者ほど脚の筋力が弱いと推定される。つまり、被験者の認知機能に関わらず、脚の筋力が強い被験者ほど転回時間が短くなり、脚の筋力が弱い被験者ほど転回時間が長くなるものと推定される。
【０１１３】
したがって、立ち上がり速度が通常よりも遅い被験者（つまり、脚の筋力が弱い被験者）については、転回時間の閾値を通常よりも大きくする（認知機能が低下していないと判断する方向）ことにより、脚の筋力を考慮して転回時間に関する判定が可能となるため、より精度よく被験者の認知機能を判定できると考えられる。一例として、被験者の立ち上がり速度Ｓが基準速度Ｓｃよりも遅い場合には、転回時間の閾値は予め定められた標準値よりも大きく設定される。
【０１１４】
また、他の例として、端末装置１０は、被験者の立ち上がり速度Ｓが標準範囲に収まっている（例えば、下限速度Ｓｄ≦Ｓ≦上限速度Ｓｕ）場合には、転回時間の閾値は標準値に設定され、立ち上がり速度Ｓが下限速度Ｓｄ未満である場合には、転回時間の閾値は標準値よりも大きく設定される。また、立ち上がり速度Ｓが上限速度Ｓｕよりも大きい場合には、転回時間の閾値は標準値よりも小さく設定されてもよい。
【０１１５】
この場合、端末装置１０およびサーバ２０の処理の流れは次のようになる。端末装置１０は、立ち上がり速度を測定し、図２３中のステップＳ１８において、立ち上がり速度の測定結果をさらに含む測定情報Ｄをサーバ２０に送信する。サーバ２０は、その測定情報Ｄに基づいて評価処理を実行する。より詳細には、サーバ２０は、立ち上がり速度の測定結果に基づいて、転回時間の閾値を上述した方式に従って設定してから、図２４のステップＳ２０２の処理を実行する。以下の処理の流れは図２４（および図２３）で説明した処理の流れと同様である。なお、端末装置１０が評価処理を実行する場合にも上記と同様に実行すればよい。
【０１１６】
（２）コンピュータを機能させて、上述の実施の形態で説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１７】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１１８】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１１９】
（３）また、上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１２０】
また、上述した実施の形態において、変形例で説明した処理や構成を適宜採用して実施する場合であってもよい。
【０１２１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１２２】
１  評価システム、１０  端末装置、１５  測定用ベルト、２０  サーバ、７０  椅子、８０，８２  目標物、９０  ネットワーク、１５２，２０２  プロセッサ、１５４，２０４  メモリ、１５６  タッチパネル、１５８  ディスプレイ、１６０  無線通信部、１６１  通信アンテナ、１６４  メモリインターフェイス、１６５  記憶媒体、１６６  マイク、１６８  スピーカ、１７０  センサ装置、１７１  加速度センサ、１７３  角速度センサ、１７５  モジュール、３０２  動き情報検出部、３０４  運動能力測定部、３０６  認知機能測定部、３０８，４０２  情報通信部、３１０  報知部、３１２，４０６  評価基準情報格納部、３１４，４０８  評価部、４０４  測定情報格納部。
【図１】
2018029706.tif 000003
【図２】
2018029706.tif 000004
【図３】
2018029706.tif 000005
【図４】
2018029706.tif 000006
【図５】
2018029706.tif 000007
【図６】
2018029706.tif 000008
【図７】
2018029706.tif 000009
【図８】
2018029706.tif 000010
【図９】
2018029706.tif 000011
【図１０】
2018029706.tif 000012
【図１１】
2018029706.tif 000013
【図１２】
2018029706.tif 000014
【図１３】
2018029706.tif 000015
【図１４】
2018029706.tif 000016
【図１５】
2018029706.tif 000017
【図１６】
2018029706.tif 000018
【図１７】
2018029706.tif 000019
【図１８】
2018029706.tif 000020
【図１９】
2018029706.tif 000021
【図２０】
2018029706.tif 000022
【図２１】
2018029706.tif 000023
【図２２】
2018029706.tif 000024
【図２３】
2018029706.tif 000025
【図２４】
2018029706.tif 000026
【図２５】
2018029706.tif 000027